(57)【要約】【課題】発信者側が負担する通話料金を発信者側が負担することなく予め決定の呼び出し先情報（ＩＤ）へ手間無く発信させることができる通信路確立方式を提供することである。【解決手段】転送センタ４０と、前記転送センタ４０が提供する通信サービスの利用者が指定する着信側通信端末５０と発信側通信端末２０との間の通信路を前記転送センタ４０に確立させるために必要な情報と、着信側通信端末５０と発信側通信端末２０との間の通信料を前記利用者の側に負担させるために必要となる通信料負担側判定情報とを記憶する通信路確立装置１０とを含む通信方式である。そして、前記通信路確立装置１０は、発信側通信端末２０に接続されると、前記必要な情報および前記通信料負担側判定情報を該発信側通信端末２０によって前記転送センタ４０へ送信させる発信手段１１、２１を備えている。【選択図】        図１
2006060677.tif 000002
【特許請求の範囲】
【請求項１】
転送センタと、
前記転送センタが提供する通信サービスの利用者が指定する着信側通信端末と発信側通信端末との間の通信路を前記転送センタに確立させるために必要な情報と、着信側通信端末と発信側通信端末との間の通信料を前記利用者の側に負担させるために必要となる通信料負担側判定情報と、を記憶する通信路確立装置と、を含む通信方式であって、
前記通信路確立装置は、発信側通信端末に接続されると、前記必要な情報および前記通信料負担側判定情報を該発信側通信端末によって前記転送センタへ送信させる発信手段を備えたことを特徴とする、通信路確立方式。
【請求項２】
請求項１に記載の通信路確立方式であって、
前記必要な情報は、該発信側通信端末から前記転送センタを呼び出すためのコードＡと、前記転送センタから該着信側通信端末を呼び出すためのコードＢと、を含む情報であり、
前記通信料負担側判定情報は、コードＡを含む情報であり、そのコードＡは、着信者課金のコードである、通信路確立方式。
【請求項３】
請求項１〜２のいずれか１項に記載の通信路確立装置は、首輪、腕輪、脚輪、または胴輪などの動物等の用品に装着され、または組み込まれることによって、動物等に装身されている、通信路確立方式。
【発明の詳細な説明】
【技術分野】
【０００１】
本発明は、発信者側と着信者側との間で通信路を確立させる通信路確立方式に関し、詳しくは中継局（転送センタ）を介して着信者側が課金対象となる通信路確立方式に関する。
【背景技術】
【０００２】
従来から、発信側通信端末と着信側通信端末との間で通信路を確立させる技術としては「迷子札」が開示されている（例えば、特許文献１を参照）。この技術では、携帯電話に接続するだけで予め登録してある飼主の電話番号を自動に発信させる迷子札の技術が開示されている。そして、この迷子札を首輪などに装着して迷子となったペットを発見した者は（以下、「発見者」と記す）、ペットが装着している迷子札を自身の携帯電話と接続させる。すると迷子札にはペットの飼主（以下、単に「飼主」と記す）の電話番号とその電話番号を自動に発信するプログラムが記憶されているため、発見者は携帯電話によって飼主と会話してペットを引き取りにきてもらいことができる。このようにして発見者は迷子になっているペットを飼主の元へ戻してあげることができる。
【特許文献１】特開２００２−３０６００９号公報
【発明の開示】
【発明が解決しようとする課題】
【０００３】
しかしながら、上述した迷子札の技術では、発見者が飼主へ発信する電話の通話料金は発見者が負担しなければならなかった。そのため迷子状態であるペットを発見した者は、通話料金を惜しむあまりに飼主へ電話しないことがあった。また、通話料をどちらが負担するかで揉めることもあった。
【０００４】
本発明は、このような課題を解決しようとするもので、その目的は、発信者側が負担する通話料金を発信者側が負担することなく予め決定の呼び出し先情報（ＩＤ）へ手間無く発信させることができる通信路確立方式を提供することである。
【課題を解決するための手段】
【０００５】
本発明は、上記の目的を達成するためのものであって、以下のように構成されている。
請求項１に記載の通信路確立方式は、次のような構成である。転送センタと、前記転送センタが提供する通信サービスの利用者が指定する着信側通信端末と発信側通信端末との間の通信路を前記転送センタに確立させるために必要な情報と、着信側通信端末と発信側通信端末との間の通信料を前記利用者の側に負担させるために必要となる通信料負担側判定情報と、を記憶する通信路確立装置とを含む通信方式である。そして前記通信路確立装置は、発信側通信端末に接続されると、前記必要な情報および前記通信料負担側判定情報を該発信側通信端末によって前記転送センタへ送信させる発信手段を備えた構成である。
この構成によれば、発信側通信端末を通信路確立装置に接続すると、発信側通信端末と着信側通信端末との間で通信路を確立させることができる。また、その通信料を着信側通信端末の利用者に負担させることができる。
したがって、発信側通信端末の利用者に通信料を負担させることなく、発信側通信端末と着信側通信端末との間で通信路を確立させることができる。
【０００６】
請求項２に記載の通信路確立方式は、請求項１に記載の通信路確立方式であって、前記必要な情報は、該発信側通信端末から前記転送センタを呼び出すためのコードＡ（例えば、第２ＩＤ）と、前記転送センタから該着信側通信端末を呼び出すためのコードＢ（例えば、第３ＩＤまたは端末ＩＤ）とを含む情報であり、前記通信料負担側判定情報は、コードＡを含む情報であり、そのコードＡは、着信者課金のコード（例えば、着信者課金の電話番号）である。
この構成によれば、転送センタにフリーダイヤル（登録商標）を割り付けることによって、発信側通信端末と転送センタとの間で確立した通信路の通信料について容易に転送センタを課金対称とすることができる。
【０００７】
請求項３に記載の通信路確立方式は、請求項１〜２のいずれか１項に記載の通信路確立装置を、首輪、腕輪、脚輪、または胴輪などの動物等の用品に装着し、または組み込むことによって、動物等に装身している構成である。
したがって、迷子状態のペットを発見した者は手間無く容易に迷子ペットの飼主へ連絡することができる。なお、通信路確立装置は、迷子対策として人間、特に子供に携行させてもよいし、落し物対策として、鞄などの物品に装着してもよいことはもちろんである。
【発明を実施するための最良の形態】
【０００８】
以下、本発明を実施するための最良の形態を、図面を用いて説明する。
なお、特許請求の範囲に記載の「通信サービスの利用者」とは、実施例１、２に記載の「固定電話の使用者（飼主）」に相当する。また、特許請求の範囲に記載の「必要な情報」とは、実施例１、２に記載の「第２ＩＤと第３ＩＤ」に相当する。また、特許請求の範囲に記載の「通信料負担側判定情報」とは、実施例１に記載の「第２ＩＤ（フリ−ダイヤル）」および実施例２に記載の「第２ＩＤ（フリ−ダイヤルではない）と端末ＩＤ」に相当する。また、特許請求の範囲に記載の「発信手段」とは、実施例１、２に記載の「第１発信手段１１、第２発信手段１２」に相当する。また、特許請求の範囲に記載の「コードＡ」とは、実施例１、２に記載の「第２ＩＤ」に相当する。また、特許請求の範囲に記載の「コードＢ」とは、実施例１、２に記載の「第３ＩＤ」に相当し、端末ＩＤは、通信路確立装置のＩＤでもある。また、特許請求の範囲に記載の「着信者課金のコード」とは、実施例１に記載の「着信者課金用の電話番号（フリーダイヤル）」に相当する。
【０００９】
（実施例１）
まず図１〜３によって実施例１を説明する。
図１は、発信側通信端末の一例である携帯電話２０と、転送センタ４０と、着信側通信端末の一例である固定電話５０とが通信網Ｎを介して通信路を確立可能な構成を説明するブロック図である。図２および図３は、携帯電話２０と固定電話５０との間で通信路を確立させるためのフロー制御について説明する図である。
【００１０】
図１を参照して全体構成を説明する。
携帯電話２０、転送センタ４０、固定電話５０は、いずれも通信網Ｎに接続されているか、あるいは接続可能な状態にある。なお携帯電話２０は、例えば携帯可能な移動端末であり図示するように基地局３０を介して通信網Ｎと接続可能な状態である。また携帯電話２０には第１ＩＤが付与され、転送センタ４０には第２ＩＤが付与され、固定電話５０には第３ＩＤが付与されている。これら各ＩＤによって、携帯電話２０と転送センタ４０と固定電話５０との間でそれぞれ通信路を確立させることができる。本実施例では、携帯電話２０は、一般的な携帯型の電話機である。また固定電話５０は、一般的な家庭用の固定電話機である。転送センタ４０は、携帯電話２０との通信路が確立すると、携帯電話２０と接続してある通信路確立装置１０から発信される固定電話５０の第３ＩＤに基づいて固定電話５０と通信路を確立させることによって、携帯電話２０と固定電話５０との通信路を確立させるための装置である。なお、この通信網Ｎは、電話網であっても構わないし、インターネットであっても構わない。
【００１１】
携帯電話２０は、英数字または文字等を入力可能な入力キー２１と、該入力キー２１から入力した入力データや送受信データ等の各種情報を表示可能な表示手段２２を有している。
【００１２】
転送センタ４０は、通話時間監視手段４２と送受信手段４３と制御手段４４と記憶手段４５を有している。通話時間監視手段４２は、送受信手段４３を介して転送センタ４０と固定電話５０との通信路が確立すると、その通信路の確立している時間をカウントしそのカウントによって算出される料金を記憶手段４５へ記憶する。制御手段４４は、携帯電話２０から送信された端末ＩＤを照合したり、携帯電話２０から送信されたＩＤ（この場合、第３ＩＤ）を発呼したりするものである。また記憶手段４５には、通話時間監視手段４２の機能を動作させるためのプログラム、および制御手段４４の機能を動作させるためのプログラム、および照合を受け付ける端末ＩＤが記憶されている。
【００１３】
通信路確立装置１０は、携帯電話２０に接続可能に構成されており、第１発信手段１１、第２発信手段１２、記憶手段１３を有する。第１発信手段１１とは、記憶手段１３に記憶された第２ＩＤ（この場合、第２ＩＤとは転送センタ４０に付与された電話番号である）を発信番号として発信させるものである。また第２発信手段１２とは、携帯電話２０と転送センタ４０との間で通信路が確立されたことを検出すると、記憶手段１３に記憶された端末ＩＤ（この場合、端末ＩＤとは通信路確立装置１０に付された固有の識別ＩＤである。そして、通信路確立装置１０が複数あった場合でも互いに異なるＩＤが付与されているため、転送センタ４０は端末ＩＤを識別することによって、通信路確立装置の照合が可能である）を読み出して携帯電話２０から転送センタ４０へ送信する。この端末ＩＤによって転送センタ４０は通信路確立装置１０が予め登録の通信路確立装置１０であるか否かを照合して不正や悪戯を防止している。さらに第２発信手段１２は、転送センタ４０で端末ＩＤの照合が一致すれば、記憶手段１３に記憶された第３ＩＤ（この場合、第３ＩＤとは固定電話５０に付与された電話番号である）を読み出して携帯電話２０から転送センタ４０へ送信し、転送センタ４０から第３ＩＤを発信番号として発信させる。また記憶手段１３には、第１発信手段１１、第２発信手段１２のそれぞれの機能を動作させるためのプログラムも記憶されている。
【００１４】
続いて、上述した構成において、携帯電話２０と固定電話５０との間で通信路を確立させるためのフロー制御について図２と図３を参照しながら説明する。なお、図２と図３の間の結合子Ａ、Ｂ、Ｃ、Ｄを通じてそれぞれ処理が継続する。
【００１５】
通信路確立装置１０のコネクタを携帯電話２０の外部通信端子へ接続する（ステップＳ１００）。この接続を検出できた通信路確立装置１０は、携帯電話２０と転送センタ４０との間で通信路を確立させるため、携帯電話２０に対して第２ＩＤを発信番号として発信するように要求し（ステップＳ１０２）、この要求を受けた携帯電話２０は、第２ＩＤを発信番号として発信する（ステップＳ１０４）。通信網Ｎの交換機（図示せず）を介して、この発信を受けた転送センタ４０は、携帯電話２０に応答信号（オフフック信号）を送信する（ステップＳ１０６）。よって、携帯電話２０と転送センタ４０との間に通信路が確立された（ステップＳ１０８）。携帯電話２０は、通信路確立装置１０に通信路確立信号を送信する（ステップＳ１１０）。この応答信号を受けた通信路確立装置１０は、自身の端末ＩＤを記憶手段１３から読み出し携帯電話２０へ送信する（ステップＳ１１２）。この送信を受けた携帯電話２０は、端末ＩＤを転送センタ４０へ送信する（ステップＳ１１４）。この送信を受けた転送センタ４０は、受信した端末ＩＤと予め記憶手段４５に記憶の端末ＩＤとを照合する（ステップＳ１１６）。照合が一致しなければ（Ｎｏの場合）、転送センタ４０は携帯電話２０へ不一致信号を送信し（ステップＳ１１８）、携帯電話２０の使用者にその旨を告げ、携帯電話２０との通信路を切断する。照合が一致すると（Ｙｅｓの場合）、転送センタ４０は携帯電話２０へ端末ＩＤ一致信号を送信する（ステップＳ１２０）。この送信を受けた携帯電話２０は、受信した端末ＩＤ一致信号を通信路確立装置１０へ送信する（ステップＳ１２２）。
【００１６】
図３に移って、この端末ＩＤ一致信号を受信した通信路確立装置１０は、転送センタ４０と固定電話５０との間で通信路を確立させるため、転送センタ４０に対して第３ＩＤを発信番号として発信するように要求する。この要求は、携帯電話２０を介して転送センタ４０へ送られるため、通信路確立装置１０は携帯電話２０に対して第３ＩＤを発信番号として発信するように要求し（ステップＳ１２４）。この要求を受けた携帯電話２０は、第３ＩＤを転送センタ４０へ送信し（ステップＳ１２６）、この送信を受けた転送センタ４０は、第３ＩＤを発信番号として発信する（ステップＳ１２８）。この発信を受けた固定電話５０は、転送センタ４０に応答信号（オフフック信号）を送信する（ステップＳ１３０）。
【００１７】
転送センタ４０は、携帯電話２０と転送センタ４０との間で既に確立してある通信路と、転送センタ４０と固定電話５０との間で確立した通信路と、を接続し、携帯電話２０と固定電話５０との間で通信路を確立させて両者（携帯電話２０と固定電話５０）の間で通話を可能にする（ステップＳ１３４）。転送センタ４０は、携帯電話２０と固定電話５０との間で通信路が確立すると、通話時間監視手段４２によって通信路の確立時間をカウントし始める（ステップＳ１３６）。すなわち、通話時間をカウントし始める。そして、この確立した通信路が遮断されるまで（通話が終了するまで）カウントし（ステップＳ１３６）ステップＳ１３８へ進む。ステップＳ１３８によって通信路の遮断が検出されると（Ｙｅｓ）、通話時間監視手段４２はこのカウントによって算出される料金（この場合、転送センタ４０と固定電話５０との間で通信路を確立させるために要した通話料金）を通信路の確立した時刻に対応付けて記憶手段４５へ記憶する。なお記憶手段４５には、予め通話料金に関するデータベースが記憶してあるため、通話時間監視手段４２は通話時間に応じて通話料金の算出が可能である。
【００１８】
ここで転送センタ４０の識別ＩＤである第２ＩＤを着信者課金用の電話番号、例えばフリーダイヤル（登録商標）としておく。すると、携帯電話２０と転送センタ４０との間で通信路を確立させるために要した料金は、転送センタ４０を運営する業者（以下、「業者α」と記す）が負担することになる。また転送センタ４０と固定電話５０との間で通信路を確立させるために要した料金は、通常通り発信者側負担となるため業者αが負担することになる。そのため携帯電話２０と固定電話５０との間で通信路を確立させるために要した料金は、全て業者αが負担することになる。もちろん、業者αはこのような通信の転送を無償で実施するのではなくビジネスとして実施し、所定の手数料と共に要した料金（携帯電話２０から転送センタ４０への通信料金（後日、フリーダイヤルの運営業者から業者αへ使用したフリーダイヤルの通信料の請求がくる）と転送センタ４０から固定電話５０への通信料金）を転送の依頼主である固定電話５０の使用者へ請求する。このようにして、発信側である携帯電話２０と着信側である固定電話５０との間で通信路を確立させ、その通信料を全て着信側に負担させることができる。
【００１９】
以下に、ビジネスへの適用例を説明する。
業者αは、上述したような通信サービスに関する事業を実施している。ペットの飼主は業者αと、この通信サービスに関する契約を締結する。この契約が締結されると、業者αから飼主に対して通信路確立装置１０が支給される。この通信路確立装置１０の記憶手段１３には、第２ＩＤとして転送センタ４０の電話番号と、第３ＩＤとして飼主自身の自宅電話番号が記憶されている。飼主は、この通信路確立装置１０を自身のペットの首輪に装着する。これで準備完了である。
【００２０】
そして、この通信路確立装置１０を装着したペットが迷子になりこの迷子状態のペットを発見した者は、このペットの首輪から通信路確立装置１０を取り外して自身が所有する（この場合は、発見者自身が所有する）携帯電話２０と接続する。通信路確立装置１０の本体表面などには、「このペットは、現在迷子となっております。発見した方は、自身の携帯電話へこの通信路確立装置１０を接続して下さい。そうすれば、自動で飼主へ電話が発信されます。また、通話料金は発生しません（飼主全額負担）。」の旨を予め記載しておき、安心して通信路確立装置１０を使用してもらえるようにしておくことは、もちろん好ましいことである。または、携帯電話２０に通信路確立装置１０を接続すると、その旨が携帯電話２０の表示手段２２に表示されるように通信路確立装置１０を構成しておくことも好ましい。すると携帯電話２０から転送センタ４０を介して飼主の自宅へ自動に番号が発信される。そして発見者は飼主へ迷子となっているペットを預かっている旨を連絡することができる。
【００２１】
このようにして発見者は簡便に飼主と連絡を取ることができる。また発見者が発信する携帯電話２０の通話料金を発見者に負担させなくてよい。また発見者が通話料金を負担しなくてよいため、発見者が通話料金を負担する場合と比較すると、迷子ペットが飼主に連絡される度合いを高めることができる。すなわち、迷子状態のペットを減らすことができる。発見者と飼主の間で、通話料の負担で揉めることもない。
【００２２】
次に、この通信サービスの費用の支払方法について説明する。支払方法については、例えば、現金支払い、クレジットカード引き落とし、プリペイド方式等が考えられる。なお現金支払い、クレジットカード引き落とし等は一般的であるため、プリペイド方式について詳述する。ペットの飼主は業者αと通信サービスの契約を締結する際に、予め所定の料金を支払っておくようにする。また、通信路確立装置１０は、そのことを示す情報を記憶する。例えば上述の端末ＩＤでもってそのことを意味させる。転送センタ４０が該端末ＩＤを受信すると、該通信路確立装置１０からの発信による通話要求がプリペイドであることを認識できる。それゆえ、この所定の料金に相当する分だけ、ペットの飼主はこの通信サービスを受けることができる。このようにプリペイド方式にしておけば所定の料金を越えた通話を受け付けないようにできるため、悪意のある発見者からの無駄な通話を制限することができる。
【００２３】
（実施例２）
次に、実施例２を説明する。
実施例１では、通信路確立装置１０に記憶の端末ＩＤを転送センタ４０との照合に利用する例を説明した。実施例２では、通信路確立装置１０に記憶の端末ＩＤを転送センタ４０との照合だけでなく、さらに課金対象を振り替えるための信号に利用している例である。ここで課金対象の振り替えとは、通常であれば発信者側が課金対象となるところ、着信者側が課金対象となるようにすることである。なお、この実施例２を成立させるためには、転送センタ４０の運営業者と通信網Ｎの運営業者とが同一業者もしくは業務提携している業者となることが必要である（実施例１では、転送センタ４０の運営業者と通信網Ｎの運営業者とが別業者であった）。なお、他の機器構成は、実施例２も実施例１と同様であるため説明を省略する。
【００２４】
このように、転送センタ４０の運営業者と通信網Ｎの運営業者とが同一業者であれば、転送センタ４０は携帯電話２０から送信される端末ＩＤを受信すると、受信した端末ＩＤを通信網Ｎの課金センタ（図示しない）に送信することができる。この課金センタとは、通信網Ｎを利用して通信路を確立させた場合、その通信料をカウントし発信者に請求するためのセンタである。そして課金センタは、端末ＩＤを受け取った通信に関して、発信者課金ではなく着信者課金とする。このようにすれば、転送センタ４０の第２ＩＤにフリーダイヤルを割り付けなくても、携帯電話２０から転送センタ４０への通信料を転送センタ４０が課金対象となるように着信側課金とすることができる。なお実施例１のように、転送センタ４０の運営業者と通信網Ｎの運営業者とが別業者であれば互いに端末ＩＤの授受ができないため、課金対象を発信者側から着信者側に振り替えることは困難である。そのため、実施例１では転送センタ４０の第２ＩＤとしてフリーダイヤルを必要とし、実施例２では転送センタ４０の第２ＩＤとしてフリーダイヤルを必要としていない。
【００２５】
（実施例３）
次に、実施例３を説明する。
この実施例３は、実施例１で使用した携帯電話２０と固定電話５０とを、それぞれ汎用のパーソナルコンピュータや所謂ＩＰ電話を利用して実現する実施例である。そのため、この実施例３では各機器（携帯電話２０、転送センタ４０、固定電話５０）に付与された各ＩＤ（第１ＩＤ、第２ＩＤ、第３ＩＤ）は、それぞれ異なるメールアドレスとなる。そして実施例１と同様に、パーソナルコンピュータ２０、転送センタ４０、パーソナルコンピュータ５０は、いずれも通信網Ｎに接続されているか、あるいは接続可能な状態にある。このように構成しておけば、実施例３においても実施例１と同様にメールを利用して発見者から飼主へ連絡することができ同様の作用効果を得ることができる。
【００２６】
上述した内容は、あくまでも本発明の一実施の形態に関するものであって、本発明が上記内容に限定されることを意味するものではない。
実施例１では、着信側通信端末５０は、一般的な家庭用の固定電話である構成を例に説明した。しかし、これに限定されるものでなく、携帯電話、ＩＰ電話、ＰＨＳ（登録商標）等各種電話であっても構わない。
また実施例１では、通信路確立装置１０に記憶の端末ＩＤを転送センタ４０に送信して、その端末ＩＤで発信側（通信路確立装置１０）の正当性を認証する構成とした。本発明において、発信側の正当性の認証、言い換えれば転送センタ４０が提供する通信サービスの利用者の側に通信料を負担させるための認証は、確かに必要である。しかし、その認証は、前記端末ＩＤによるものに限られるものではない。通信路確立装置１０から携帯電話２０を介して転送センタ４０へ第３ＩＤ（固定電話５０のＩＤ）を送信し、転送センタ４０の記憶手段４５に予め記憶されている第３ＩＤと該受信第３ＩＤとを照合することによる認証であってもよい。
実施例１では、通信路確立装置１０に第３ＩＤを記憶させる構成を例に説明した。しかし、これに限定されるものでなく、転送センタ４０に第３ＩＤを記憶させる構成でも構わない。その場合について説明する。転送センタ４０は、実施例１に記載のステップＳ１１６の照合が一致すると、ステップＳ１２０〜ステップＳ１２６を省略し第３ＩＤを記憶手段４５から読み出しステップＳ１２８の処理を実行する。もちろん、記憶手段４５には予め端末ＩＤに対応付けられて第３ＩＤが記憶されている。
【図面の簡単な説明】
【００２７】
【図１】本発明に係る携帯電話２０と、転送センタ４０と、固定電話５０とが通信網Ｎを介して通信路を確立可能な構成を説明するブロック図である。
【図２】本発明に係る携帯電話２０と固定電話５０との間で通信路を確立させるためのフロー制御について説明する図である。
【図３】本発明に係る携帯電話２０と固定電話５０との間で通信路を確立させるためのフロー制御について説明する図であり、図２から各処理が継続している。
【符号の説明】
【００２８】
１０    通信路確立装置
２０    発信側通信端末（携帯電話）
４０    転送センタ
５０    着信側通信端末（固定電話）
Ｎ      通信網
【図１】
2006060677.tif 000003
【図２】
2006060677.tif 000004
【図３】
2006060677.tif 000005